(57)【要約】      （修正有）【課題】外付け式キーボードの携帯性を高めることができる電子装置に用いられる保護ケースを提供する。【解決手段】電子装置３０に用いられる保護ケース１０は、電子装置及び外付け式キーボード４０を収納して保護するために用いられ、且つ本体部と、電子装置を挟持するための第一係止部１３と、外付け式キーボードを係止するための第二係止部と、を備える。前記第一係止部及び前記第二係止部は、それぞれ前記本体部の両側に設けられる。前記本体部の左右両部の間には、湾曲可能な連結部１１５が設けられる。前記連結部を湾曲して前記本体部の左右両部を折り畳むことで、前記電子装置及び前記外付け式キーボードを対向して重ね合わせる。【選択図】図１
0003170117.tif 000002
【実用新案登録請求の範囲】
【請求項１】
電子装置及び外付け式キーボードを収納して保護するために用いられ、且つ本体部と、前記電子装置を挟持するための第一係止部と、前記外付け式キーボードを係止するための第二係止部と、を備える電子装置に用いられる保護ケースであって、
前記第一係止部及び前記第二係止部は、それぞれ前記本体部の両側に設けられ、前記本体部の左右両部の間には、湾曲可能な連結部が設けられ、
前記連結部を湾曲して前記本体部の左右両部を折り畳むことで、前記電子装置及び前記外付け式キーボードを対向して重ね合わせることを特徴とする電子装置に用いられる保護ケース。
【請求項２】
前記第一係止部は、複数の第一止め壁を含み、複数の前記第一止め壁が取り囲んで、前記電子装置を収納するための第一収容部を形成することを特徴とする請求項１に記載の電子装置に用いられる保護ケース。
【請求項３】
前記第二係止部は、対向する２つのフック及び同一直線上に位置する２つの第二止め壁を含み、２つの前記フック及び２つの前記第二止め壁が取り囲んで、前記外付け式キーボードを収納するための第二収容部を形成することを特徴とする請求項２に記載の電子装置に用いられる保護ケース。
【請求項４】
前記本体部は、前記連結部を介して互いに折り畳み可能に連接される第一ケース体及び第二ケース体を備え、
前記第一止め壁は、前記第一ケース体の周縁に突設され、
前記フック及び前記第二止め壁は、前記第二ケース体の周縁に垂直に突設されることを特徴とする請求項３に記載の電子装置に用いられる保護ケース。
【請求項５】
前記フック、前記第一止め壁及び前記第二止め壁は、それぞれエラストマー材料からなることを特徴とする請求項３又は４に記載の電子装置に用いられる保護ケース。
【考案の詳細な説明】
【技術分野】
【０００１】
本考案は、電子装置に用いられる保護ケースに関するものである。
【背景技術】
【０００２】
現在、携帯電話、個人用携帯情報端末（ＰＤＡ）及びパソコンなどの携帯式電子装置は、機能が多様化すると共に、軽薄化及び小型化されつつある。ユーザーの入力操作を容易にするために、外付け式キーボードを使用するが、この外付け式キーボードを携帯することは、不便である。
【考案の概要】
【考案が解決しようとする課題】
【０００３】
そこで、本考案は上記の問題点を考慮した上で、外付け式キーボードを便利に携帯することができる電子装置に用いられる保護ケースを提供することを目的とする。
【課題を解決するための手段】
【０００４】
上記の目的を達成するために、本考案に係る電子装置に用いられる保護ケースは、電子装置及び外付け式キーボードを収納して保護するために用いられ、且つ本体部と、電子装置を挟持するための第一係止部と、外付け式キーボードを係止するための第二係止部と、を備える。前記第一係止部及び前記第二係止部は、それぞれ前記本体部の両側に設けられる。前記本体部の左右両部の間には、湾曲可能な連結部が設けられる。前記連結部を湾曲して前記本体部の左右両部を折り畳むことで、前記電子装置及び前記外付け式キーボードを対向して重ね合わせる。
【考案の効果】
【０００５】
本考案の電子装置に用いられる保護ケースは、電子装置及び外付け式キーボードを両者が互いに重ね合わせられるように収納するので、外付け式キーボード及び電子装置を便利に携帯することができる。さらに、前記保護ケースは、前記電子装置及び前記外付け式キーボードが摩損されないように保護する。
【図面の簡単な説明】
【０００６】
【図１】本考案の電子装置に用いられる保護ケースに電子装置及び外付け式キーボードを取り付けた状態を示す図である。
【図２】図１に示した電子装置に用いられる保護ケースから電子装置及び外付け式キーボードを取り外した状態を示す図である。
【考案を実施するための形態】
【０００７】
図１及び図２に示したように、本考案に係る電子装置に用いられる保護ケース１０は、電子装置３０及び外付け式キーボード４０を収納して保護するために用いられる。前記電子装置３０及び前記外付け式キーボード４０は、接続ケーブルにより電気的に接続されるか又は無線接続される。
【０００８】
前記保護ケース１０は、本体部１１、第一係止部１３及び第二係止部１５を備える。前記本体部１１は、第一ケース体１１１、第二ケース体１１３及び湾曲可能な連結部１１５から構成される。前記第一ケース体１１１及び前記第二ケース体１１３は、それぞれ矩形の平板状体であり、且つプラスチック材料或いはゴム材料からなる。前記連結部１１５は、強い弾性力を持つエラストマーからなり、前記第一ケース体１１１及び前記第二ケース体１１３を一体に連接する。前記連結部１１５を湾曲して、前記本体部１１の左右両部を折り畳むと、前記第一ケース体１１１及び前記第二ケース体１１３は、互いに向き合って重ね合わせられた状態になる。
【０００９】
前記第一係止部１３は、前記第一ケース体１１１の対向する２つの短辺の中央部及び前記第一ケース体１１１の前記第二ケース体１１３から離れている長辺の中央部にそれぞれ設けられている３つの第一止め壁１３１を備える。前記第一止め壁１３１は、プラスチック材料からなる。３つの前記第一止め壁１３１によって、前記電子装置３０を収納するための第一収容部１３５が形成される。前記電子装置３０は、３つの前記第一止め壁１３１により、前記第一収容部１３５内に挟持されて固定される。
【００１０】
前記第二係止部１５は、前記第二ケース体１１３の対向する２つの短辺にそれぞれ設けられる２つのフック１５１及び前記第二ケース体１１３の前記第一ケース体１１１から離れている長辺に互いに離間して設けられる２つの第二止め壁１５３を備える。前記フック１５１及び前記第二止め壁１５３は、全てプラスチック材料からなる。前記フック１５１は、主体部１５１１及びこの主体部１５１１の自由端から折り曲げられて形成される鈎状部１５１３を備える。前記フック１５１及び前記第二止め壁１５３により、前記外付け式キーボード４０を収納するための第二収容部１５５が形成される。前記外付け式キーボード４０は、２つの前記フック１５１により、前記第二収容部１５５内に挟持されて固定される。前記第一ケース体１１１と前記第二ケース体１１３とが互いに重ね合わせられた後、前記第一止め壁１３１は、２つの前記第二止め壁１５３の間に位置する。
【００１１】
前記電子装置３０は、４つの側壁３１を備え、前記側壁３１には接続ポート及びショートカットキーなどが設けられている。前記外付け式キーボード４０は、押しボタンが設けられている操作面４１を有する。
【００１２】
前記電子装置３０及び前記外付け式キーボード４０を前記保護ケース１０に取り付ける場合、前記電子装置３０を前記第一収容部１３５内に押圧すると、３つの前記第一止め壁１３１が外側へ弾性拡張し、前記電子装置３０が前記第一収容部１３５内に収容されると、３つの前記第一止め壁１３１が弾性復帰して、前記電子装置３０の側壁３１を挟持する。また、前記外付け式キーボード４０を前記第二収容部１５５内に押圧すると、２つの前記フック１５１及び２つの前記第二止め壁１５３が外側へ拡張し、前記外付け式キーボード４０が前記第二収容部１５５内に収納されると、２つの前記フック１５１は元の状態に復帰して、その鈎状部１５１３が前記操作面４１の辺縁に係合され、２つの前記第二止め壁１５３も弾性復帰して前記外付け式キーボード４０の側壁に当止される。
【００１３】
携帯する場合、前記保護ケース１０の第一ケース体１１１及び第二ケース体１１３を互いに対面するように折り畳めばよい。使用する場合、前記第一ケース体１１１及び前記第二ケース体１１３を展開すると、前記電子装置３０及び前記外付け式キーボード４０は、前記保護ケース１０の両側に位置する。さらに、前記第一ケース体１１１及び前記第二ケース体１１３は、それぞれ前記電子装置３０及び前記外付け式キーボード４０が摩損されないように保護する。
【００１４】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００１５】
１０            保護ケース
１１            本体部
１３            第一係止部
１５            第二係止部
３０            電子装置
３１            側壁
４０            外付け式キーボード
４１            操作面
１１１          第一ケース体
１１３          第二ケース体
１１５          連結部
１３１          第一止め壁
１３５          第一収容部
１５１          フック
１５３          第二止め壁
１５５          第二収容部
１５１１        主体部
１５１３        鈎状部
【図１】
0003170117.tif 000003
【図２】
0003170117.tif 000004